(57)【特許請求の範囲】
【請求項１】
ネットワークにそれぞれ接続される複数のカラオケ装置とサーバ装置と無線ルータ装置とを備えるカラオケシステムであって、
前記複数のカラオケ装置の各カラオケ装置は、
前記サーバ装置から前記ネットワークを介して配信される複数種類の広告情報を表示手段に表示させる表示制御手段と、
前記無線ルータ装置に接続するためのネットワークキーを前記無線ルータ装置から取得する取得手段と、
前記ネットワークキーを前記複数種類の広告情報に付与する付与手段と、
を備え、
前記無線ルータ装置は、
前記カラオケ装置に前記ネットワークキーを送信する第１送信手段と、
前記表示手段に表示された前記広告情報から前記ネットワークキーを取得したユーザの携帯端末から前記ネットワークキーと前記ネットワークキーを取得した時点の時間情報とを含む接続要求を受け付ける受付手段と、
前記接続要求に含まれるネットワークキーが正しいと判断した場合、前記ネットワークに前記ユーザの携帯端末が接続されることを許可する接続手段と、を備え、
前記各カラオケ装置は、
前記ユーザの携帯端末が、前記ネットワークキーを取得した時点の時間情報と、前記無線ルータ装置に接続されたことを示す情報とを含む接続情報を前記無線ルータ装置から受け付け、前記ユーザの携帯端末が前記ネットワークキーを取得した時点に前記表示手段に表示されていた広告情報を識別する広告識別情報と前記各カラオケ装置を識別するカラオケ識別情報と前記ユーザの携帯端末を識別する端末識別情報とを含む広告利用情報を前記サーバ装置に送る第２送信手段をさらに備え、
前記サーバ装置は、
前記複数種類の広告情報のうちの各広告情報であって前記各広告情報を識別する広告識別情報を含む前記各広告情報を前記複数のカラオケ装置に配信する配信手段と、
前記第２送信手段によって送られた前記広告利用情報に含まれる前記カラオケ識別情報と、
前記広告識別情報とを対応付けて記憶手段に記憶させる記憶制御手段と、
前記配信手段により特定の広告情報が配信されてから現在までに前記カラオケ識別情報と、前記特定の広告情報を識別する広告識別情報とが対応付けて記憶された回数である対応付け回数を算出する算出手段と、を備え、
前記記憶制御手段は、対応付けて記憶した前記カラオケ識別情報、および前記広告識別情報と、前記算出手段により算出された前記対応付け回数とを対応付けて前記記憶手段に記憶させる
ことを特徴とするカラオケシステム。
【請求項２】
前記記憶手段は、
前記カラオケ装置を設置する設置店舗を識別する店舗識別情報と、前記設置店舗に設置されている少なくとも１つのカラオケ装置を識別するカラオケ識別情報とを対応付けて記憶しており、
サーバ装置は、
前記記憶手段に記憶される特定の店舗識別情報に対応付けられた前記カラオケ識別情報と、各広告識別情報との対応付け回数を集計する集計手段と、
前記集計手段によって集計された前記広告識別情報の対応付け回数が多い順に、前記広告識別情報が示す広告情報の内容を表す広告内容識別情報が一致する広告情報を表示させる優先順位が高くなるように優先順位を決定する決定手段と、を備え、
前記表示制御手段は、前記決定手段により決定された前記優先順位に従って前記複数の広告情報を表示させる
ことを特徴とする請求項１に記載のカラオケシステム。
【請求項３】
前記広告内容識別情報は、広告情報の内容に含まれるアーティスト、楽曲、または、物品を表す情報であることを特徴とする請求項２に記載のカラオケシステム。
【請求項４】
ネットワークにそれぞれ接続される複数のカラオケ装置とサーバ装置と無線ルータ装置とを備えるカラオケシステムであって、
前記サーバ装置は、複数の情報を記憶する記憶手段を備え、
前記複数のカラオケ装置の各カラオケ装置は、映像を表示するための表示手段を備えるカラオケシステムの制御方法において、
複数種類の広告情報のうちの各広告情報であって前記各広告情報を識別する広告識別情報を含む前記各広告情報を前記複数のカラオケ装置の各カラオケ装置に配信する配信ステップと、
前記無線ルータ装置に接続するためのネットワークキーを前記無線ルータ装置から取得する取得ステップと、
前記ネットワークキーを前記複数種類の広告情報に付与する付与ステップと、
前記配信ステップにより配信される複数種類の広告情報を前記表示手段に表示させる表示制御ステップと、
前記表示手段に表示された前記広告情報から前記ネットワークキーを取得したユーザの携帯端末から前記ネットワークキーと前記ネットワークキーを取得した時点の時間情報とを含む接続要求を受け付ける受付ステップと、
前記接続要求に含まれるネットワークキーが正しいと判断した場合、前記ネットワークに前記ユーザの携帯端末が接続されることを許可する接続ステップと、
前記ユーザの携帯端末が前記ネットワークキーを取得した時点の時間情報と、接続されたことを示す情報とを含む接続情報を前記無線ルータ装置から受け付け、前記ユーザの携帯端末が前記ネットワークキーを取得した時点に前記表示手段に表示されていた広告情報を識別する広告識別情報と前記各カラオケ装置を識別するカラオケ識別情報と前記ユーザの携帯端末を識別する端末識別情報とを含む広告利用情報を前記サーバ装置に送る送信ステップと、
前記送信ステップによって送られた前記広告利用情報に含まれる前記カラオケ識別情報と、前記広告識別情報とを対応付けて前記記憶手段に記憶させる記憶制御ステップと、
前記配信ステップにより特定の広告情報が配信されてから現在までに前記カラオケ識別情報と、前記特定の広告情報を識別する広告識別情報とが対応付けて記憶された回数である対応付け回数を算出する算出ステップと、を備え、
前記記憶制御ステップでは、対応付けて記憶した前記カラオケ識別情報、および前記広告識別情報と、前記算出ステップにより算出された前記対応付け回数とを対応付けて前記記憶手段に記憶させる
ことを特徴とするカラオケシステムの制御方法。
【発明の詳細な説明】
【技術分野】
【０００１】
本発明は、広告情報を再生可能なカラオケシステムに関する。
【背景技術】
【０００２】
従来、配信業者が配信した広告情報を再生するカラオケ装置がある。このカラオケ装置において再生される広告情報は、一例として音楽ＣＤのリリース情報、および歌手のコンサートのチケット情報など、物品を販売することを目的とした広告情報である。広告情報を見たユーザは、興味を持つ広告に掲載される物品の販売をするウェブサイトに、スマートフォンなどの携帯端末によりアクセスし、広告に掲載される物品を購入することが想定される。
【０００３】
また、広告の効果があるのか否かを測定するシステムがある。特許文献１を一例とする広告効果測定システムは、広告媒体の設置場所に関する位置情報及び広告効果測定装置へのアクセス情報を各広告媒体に付す。広告媒体に付された情報は携帯端末により取得され、アクセス情報に基づいて位置情報が広告効果測定装置に送信される。これにより、広告媒体の設置場所の有効性を解析することができる。
【先行技術文献】
【特許文献】
【０００４】
【特許文献１】特開２００４−７８５７３号公報
【発明の概要】
【発明が解決しようとする課題】
【０００５】
しかし、特許文献１に記載のシステムにおいては、広告媒体であるポスターの設置場所毎に位置情報を含めて印刷された広告が必要であり、広告の設置数が増えるほど、その設置数に応じた異なる種類のポスターを作成しなければならず、広告媒体の作成に手間がかかる。また、複数種類の広告情報を複数の位置にそれぞれ設置する場合、広告情報が示す広告をユーザが利用した回数などの利用状況を広告の設置位置毎に測定することは容易ではない。
【０００６】
さらに、広告情報が示す広告がユーザにより利用された場合であっても、従来のカラオケ装置はウェブブラウザを備えておらず、カラオケ装置を操作してウェブサイトに接続することはできない。つまり、ユーザは自分のスマートフォンなどの携帯端末により広告情報に対応するウェブサイトにアクセスすることが想定される。しかし、カラオケ装置が設置されるカラオケルームでは、壁などに備えられる防音設備のためにスマートフォンがネットワークにアクセスしにくい場合が多い。また、３Ｇ、４Ｇ回線のような通信契約をしていないタブレットやゲーム機などの携帯端末を利用しているユーザにとっては、Ｗｉ―Ｆｉのようなネットワークに接続できる環境がない場合、広告情報に対応するウェブサイトにアクセスすることが困難である。そのため、ユーザの携帯端末の動作をカラオケシステムが備えるいずれかの装置で検知することができない。つまり、従来のカラオケ装置はカラオケ装置毎に広告情報が利用されたか否かを判断することができなかった。また、従来のカラオケ装置では、広告情報が利用された回数などの利用状況を測定することは考えられていなかった。
【０００７】
上記の問題に鑑みて、本発明は、カラオケシステムにおいて、複数種類の広告の作成に手間をかけることなく、カラオケ装置で再生された広告情報がユーザに利用された回数を測定できるカラオケシステムを提供することを目的とする。
【課題を解決するための手段】
【０００８】
この目的を達成するために、請求項１に記載のカラオケシステムは、ネットワークにそれぞれ接続される複数のカラオケ装置とサーバ装置と無線ルータ装置とを備えるカラオケシステムであって、前記複数のカラオケ装置の各カラオケ装置は、前記サーバ装置から前記ネットワークを介して配信される複数種類の広告情報を表示手段に表示させる表示制御手段と、前記無線ルータ装置に接続するためのネットワークキーを前記無線ルータ装置から取得する取得手段と、前記ネットワークキーを前記複数種類の広告情報に付与する付与手段と、を備え、前記無線ルータ装置は、前記カラオケ装置に前記ネットワークキーを送信する第１送信手段と、前記表示手段に表示された前記広告情報から前記ネットワークキーを取得したユーザの携帯端末から前記ネットワークキーと前記ネットワークキーを取得した時点の時間情報とを含む接続要求を受け付ける受付手段と、前記接続要求に含まれるネットワークキーが正しいと判断した場合、前記ネットワークに前記ユーザの携帯端末が接続されることを許可する接続手段と、を備え、前記各カラオケ装置は、前記ユーザの携帯端末が、前記ネットワークキーを取得した時点の時間情報と、前記無線ルータ装置に接続されたことを示す情報とを含む接続情報を前記無線ルータ装置から受け付け、前記ユーザの携帯端末が前記ネットワークキーを取得した時点に前記表示手段に表示されていた広告情報を識別する広告識別情報と前記各カラオケ装置を識別するカラオケ識別情報と前記ユーザの携帯端末を識別する端末識別情報とを含む広告利用情報を前記サーバ装置に送る第２送信手段をさらに備え、前記サーバ装置は、前記複数種類の広告情報のうちの各広告情報であって前記各広告情報を識別する広告識別情報を含む前記各広告情報を前記複数のカラオケ装置に配信する配信手段と、前記第２送信手段によって送られた前記広告利用情報に含まれる前記カラオケ識別情報と、前記広告識別情報とを対応付けて記憶手段に記憶させる記憶制御手段と、前記配信手段により特定の広告情報が配信されてから現在までに前記カラオケ識別情報と、前記特定の広告情報を識別する広告識別情報とが対応付けて記憶された回数である対応付け回数を算出する算出手段と、を備え、前記記憶制御手段は、対応付けて記憶した前記カラオケ識別情報、および前記広告識別情報と、前記算出手段により算出された前記対応付け回数とを対応付けて前記記憶手段に記憶させることを特徴とする。
【０００９】
請求項２に記載のカラオケシステムの前記記憶手段は、前記カラオケ装置を設置する設置店舗を識別する店舗識別情報と、前記設置店舗に設置されている少なくとも１つのカラオケ装置を識別するカラオケ識別情報とを対応付けて記憶しており、サーバ装置は、前記記憶手段に記憶される特定の店舗識別情報に対応付けられた前記カラオケ識別情報と、各広告識別情報との対応付け回数を集計する集計手段と、前記集計手段によって集計された前記広告識別情報の対応付け回数が多い順に、前記広告識別情報が示す広告情報の内容を表す広告内容識別情報が一致する広告情報を表示させる優先順位が高くなるように優先順位を決定する決定手段と、を備え、前記表示制御手段は、前記決定手段により決定された前記優先順位に従って前記複数の広告情報を表示させることを特徴とする。
【００１０】
請求項３に記載のカラオケシステムの前記広告内容識別情報は、広告情報の内容に含まれるアーティスト、楽曲、または、物品を表す情報であることを特徴とする。
【発明の効果】
【００１１】
本発明のカラオケシステムまたはその制御方法では、無線ルータ装置に接続するためのネットワークキーが複数種類の広告情報に付与されることにより、ユーザの携帯端末がカラオケシステムのネットワークに接続することが可能になる。これにより、ユーザの携帯端末は、カラオケ識別情報、および広告識別情報をサーバ装置に送るようにカラオケ装置に指示することができ、複数種類の広告をそれぞれ作成する手間を軽減することができる。また、カラオケ識別情報と広告識別情報との対応付け回数が算出されることにより、カラオケ装置で再生された広告情報がユーザに利用された回数を測定することができる。
【００１２】
請求項２に記載のカラオケシステムでは、集計手段が、カラオケ装置を識別するカラオケ識別情報ごとに記憶されている各広告情報との対応付け回数をカラオケ装置が設置されている設置店舗ごとに集計する。決定手段が、集計手段によって集計された広告識別情報の対応付け回数が多い順に、広告識別情報が示す広告情報の内容を表す広告内容識別情報が一致する広告情報を表示させる優先順位が高くなるように優先順位を決定する。これにより、カラオケ装置のユーザが利用した広告情報と広告内容識別情報が一致する広告情報が設置店舗ごとに優先して表示される。ユーザが利用した広告情報と広告内容識別情報が一致する広告情報が優先して表示されると、その優先して表示される広告情報がユーザにより利用される可能性が高くなるため、取得可能な対応付け回数が増加する可能性が高まり、優先して表示される広告情報の広告効果を高めることができる。
【００１３】
請求項３に記載のカラオケシステムでは、広告内容識別情報は、広告情報の内容に含まれるアーティスト、楽曲、または、物品を表す情報であることから、ユーザが利用した広告情報とアーティストなどの広告内容識別情報が一致する広告情報の広告効果を高めることができる。
【図面の簡単な説明】
【００１４】
【図１】本発明の一実施形態のカラオケシステムを説明するブロック図である。
【図２】本実施形態における各装置の処理およびデータフローを説明するシーケンス図である。
【図３】本実施形態におけるカラオケ装置１の制御部１０が実行する広告情報表示処理を説明するフローチャートである。
【図４】本実施形態における広告情報表示処理により生成される２次元コードおよび２次元コードが含む情報を説明する図面である。
【図５】本実施形態におけるカラオケ用サーバ装置５の制御部５０が実行する店舗特定処理を説明するフローチャートである。
【図６】本実施形態における制御部５０が実行する記憶処理を説明するフローチャートである。
【図７】本実施形態における店舗特定処理、および記憶処理において対応付けられる情報と、算出される対応付け回数とを説明する図面である。
【図８】変形例における店舗特定処理、および記憶処理で対応付けられる情報と、算出される対応付け回数とを説明する図面である。
【発明を実施するための形態】
【００１５】
以下、本発明の実施の形態について図面を参照して説明する。
【００１６】
図１は、本発明の一実施形態のカラオケシステムを表すブロック図である。カラオケシステムは、複数のカラオケ装置１と複数のアクセスポイント２と複数のルータ４とカラオケ用サーバ装置５とを備える。また、ユーザの携帯端末３がアクセスポイント２に接続され、ウェブサイト管理用サーバ装置８がネットワークに接続される。カラオケ装置１およびアクセスポイント２は、各カラオケ装置設置店舗７に備えられたルータ４に接続される。ルータ４はネットワークを介してカラオケ用サーバ装置５と接続される。ルータ４は、各カラオケ装置設置店舗７に備えられている。複数のルータ４としては、ルータ４Ａ、ルータ４Ｂ、およびルータ４Ｃが備えられる。以下、ルータ４Ａ、ルータ４Ｂ、およびルータ４Ｃのいずれかを特定しない場合、総称としてルータ４と記載する。一点鎖線で示された領域は、カラオケ装置設置店舗７を表す。複数のカラオケ装置設置店舗７としては、ルータ４Ａを備えるカラオケ装置設置店舗７Ａ、ルータ４Ｂを備えるカラオケ装置設置店舗７Ｂ、およびルータ４Ｃを備えるカラオケ装置設置店舗７Ｃが設けられる。以下、カラオケ装置設置店舗７Ａ、カラオケ装置設置店舗７Ｂ、およびカラオケ装置設置店舗７Ｃのいずれかを特定しない場合、総称としてカラオケ装置設置店舗７と記載する。以下、ルータ４Ａを備えるカラオケ装置設置店舗７Ａを例に説明する。
【００１７】
カラオケ装置１は、各カラオケ装置設置店舗７に少なくとも１台備えられており、カラオケ装置設置店舗７Ａを例とすると、カラオケ装置１としては、カラオケ装置１Ａ、カラオケ装置１Ｂ、およびカラオケ装置１Ｃの３台が備えられる。以下、カラオケ装置１Ａ、カラオケ装置１Ｂ、およびカラオケ装置１Ｃのいずれかを特定しない場合、総称としてカラオケ装置１と記載する。二点鎖線で示された各領域は、各カラオケ装置１が設置されたカラオケルーム６を表す。つまり、二点鎖線で示された複数の領域は、カラオケ装置１Ａの設置されている部屋であるカラオケルーム６Ａと、カラオケ装置１Ｂの設置されている部屋であるカラオケルーム６Ｂと、カラオケ装置１Ｃの設置されている部屋であるカラオケルーム６Ｃとを表す。以下、カラオケルーム６Ａ、カラオケルーム６Ｂ、カラオケルーム６Ｃのいずれかを特定しない場合、総称としてカラオケルーム６と記載する。以下、カラオケルーム６Ａを例に説明する。
【００１８】
アクセスポイント２は、一例としてＷｉ−Ｆｉルータであって、ユーザの携帯端末３がネットワークに接続するための装置である。アクセスポイント２は、制御部と記憶部とを備える。記憶部は、アクセスポイント２を識別するＳＳＩＤとアクセスポイント２に接続するために設定されたパスワードとを記憶する領域を備える。制御部は、ＳＳＩＤとパスワードとを含む接続要求を受けると、携帯端末３がアクセスポイント２を介してネットワークに接続することを許可する。
【００１９】
ウェブサイト管理用サーバ装置８は、広告情報に含まれるアドレス情報が示すウェブサイトを構成する画像と、文字とを含むサイト構成情報を記憶する。ウェブサイト管理用サーバ装置８は、ネットワークを介して、ユーザの携帯端末３にサイト構成情報を送る。
【００２０】
［カラオケ装置１の電気的構成］
カラオケ装置１の電気的構成について、図１のカラオケ装置１Ａを例に説明する。カラオケ装置１Ａは制御部１０、ＲＯＭ１１、ＲＡＭ１２、記憶部１３、操作部１５、操作処理部１６、音響制御部１８、映像再生部２１、ビデオＲＡＭ２２、映像制御部２３、およびＬＡＮインターフェイス部２７を備える。
【００２１】
制御部１０は、ＲＯＭ１１、ＲＡＭ１２、記憶部１３、操作処理部１６、音響制御部１８、映像再生部２１、ビデオＲＡＭ２２、およびＬＡＮインターフェイス部２７と接続される。制御部１０は、カラオケ装置１Ａの各種処理および接続される各構成部を制御する指示を各構成部に送る。ＲＯＭ１１は、制御部１０が実行する各処理を表すプログラムおよびカラオケ装置１を識別するカラオケ識別情報を記憶する。ＲＡＭ１２は、制御部１０によりＲＯＭ１１から読み出されたプログラムを実行する場合の一時記憶領域を備える。
【００２２】
記憶部１３は、各種情報を記憶する記憶領域を備える。一例として、記憶部１３は、楽曲記憶領域１３１、広告記憶領域１３２、およびログインユーザ記憶領域１３３を備える。楽曲記憶領域１３１は、カラオケ装置１が再生する楽曲の伴奏音を表す楽曲情報を記憶する領域である。広告記憶領域１３２は、カラオケ用サーバ５から配信された広告情報を記憶する領域である。ログインユーザ記憶領域１３３は、カラオケ装置１Ａを利用しているユーザを識別するユーザ識別情報を記憶する領域である。
【００２３】
操作部１５は、ユーザによる操作を受け付けるインターフェイスである。一例として、操作部１５は、スイッチ、およびタッチパネルであって、ユーザによって行われた操作を受け付けて電気信号に変換する。操作部１５は、ユーザから受け付けた操作を電気信号に変換すると、操作処理部１６に送る。操作処理部１６は、送られた電気信号に従って制御部１０の処理を変更する制御要求を生成する。生成された制御要求は制御部１０に送られ、制御部１０は制御要求に従って処理を実行する。
【００２４】
音響制御部１８は、楽曲情報および広告情報に含まれる音の情報をスピーカ１９に発音可能な信号に変換し、スピーカ１９に発音させる。音響制御部１８は、マイク２０から入力される入力信号をスピーカ１９において発音可能な信号に変換し、スピーカ１９に発音させる。音響制御部１８は、制御部１０の指示に従って、特定の周波数の信号を生成しスピーカ１９に発音させること、音量調節、および音響エフェクトを付与することが可能である。
【００２５】
映像再生部２１は、制御部１０と、ビデオＲＡＭ２２と、映像制御部２３とに接続される。映像再生部２１は、楽曲情報と共に再生される背景映像の情報、および広告情報が含む動画情報を再生する。映像再生部２１は、制御部１０の指示に従って、ビデオＲＡＭ２２に記憶された映像の情報を読み出し、映像の情報が含むフレームごとの画像をデコードし、映像制御部２３に送る。映像制御部２３は、映像再生部２１から送られたデコードされた映像をディスプレイ２５に表示可能な形式の信号に変換し、ディスプレイ２５に送る。ディスプレイ２５は送られた映像の信号を受け付け、表示する。また、映像制御部２３は、制御部１０により生成されるテロップおよび、２次元コードをディスプレイ２５に表示させる。テロップおよび２次元コードの表示位置および大きさは、制御部１０から送られる表示座標、および大きさに従って、映像制御部２３により決められる。
【００２６】
ＬＡＮインターフェイス部２７は、カラオケ装置１Ａをネットワークに接続する。ＬＡＮインターフェイス部２７は、ネットワークケーブルによってルータ７Ａに接続され、ルータ７Ａを介してアクセスポイント２およびカラオケ用サーバ装置５と通信可能に接続される。一例として、ＬＡＮインターフェイス部２７はカラオケ用サーバ装置５から配信される広告情報を受け付ける。
【００２７】
［ユーザの携帯端末３の電気的構成］
ユーザの携帯端末３の電気的構成について、図１を参照して説明する。ユーザの携帯端末３は、制御部３０、ＲＯＭ３１、ＲＡＭ３２、映像制御部３３、ビデオＲＡＭ３４、ディスプレイ３５、カメラ３６、操作部３７、操作処理部３８、無線ＬＡＮ通信部３９、および通信部４０を備える。
【００２８】
制御部３０は、ＲＯＭ３１、ＲＡＭ３２、映像制御部３３、ビデオＲＡＭ３４、操作処理部３８、無線ＬＡＮ通信部３９および通信部４０と接続される。制御部３０は、携帯端末３の各種処理、および接続される各構成部を制御する指示を各構成部に送る。ＲＯＭ３１は、制御部３０が実行する各処理を表すプログラムを記憶する。ＲＡＭ３２は、制御部３０によりＲＯＭ３１から読み出されたプログラムを実行する場合の一時記憶領域を備える。
【００２９】
映像制御部３３は、制御部３０と、ビデオＲＡＭ３４と、ディスプレイ３５と、カメラ３６とに接続される。映像制御部３３は、制御部３０の指示に従って、映像を表す情報を再生し、ディスプレイ３５に表示させる。また、映像制御部３３は、カメラ３６によって撮影された映像を制御部３０およびディスプレイ３５に送る。映像制御部３３は、制御部３０の指示に従って、制御部３０からビデオＲＡＭ３４に送られた映像の情報を読み出し、映像の情報が含むフレームごとの映像をデコードする。映像制御部３３は、デコードされた映像をディスプレイ３５に表示可能な形式の信号に変換し、ディスプレイ３５に送る。ディスプレイ３５は送られた映像の信号を受け付け、表示する。また、映像制御部３３は、制御部３０により生成される映像をディスプレイ３５に表示させる。表示される映像の表示位置および大きさは、制御部３０から送られる表示座標、および大きさに従って、決められる。
【００３０】
操作部３７は、ユーザによる操作を受け付けるインターフェイスである。一例として、操作部３７は、スイッチ、およびタッチパネルであって、ユーザによって行われた操作を受け付けて電気信号に変換する。操作部３７は、ユーザから受け付けた操作を電気信号に変換すると、操作処理部３８に送る。操作処理部３８は、送られた電気信号に従って制御部３０の処理を変更する制御要求を生成する。生成された制御要求は制御部３０に送られ、制御部３０は制御要求に従って処理を実行する。
【００３１】
無線ＬＡＮ通信部３９は、アクセスポイント２に接続することが可能な通信用のモジュールである。無線ＬＡＮ通信部３９は、カラオケ装置設置店舗７Ａ内のアクセスポイント２に接続されると、ルータ４Ａを介してカラオケ装置１Ａおよびカラオケ用サーバ装置５と通信可能に接続される。具体的には、無線ＬＡＮ通信部３９は、接続したいアクセスポイント２のＳＳＩＤとパスワードとを含む接続要求をアクセスポイント２に送る。接続要求に含まれるＳＳＩＤとパスワードとが正しいとアクセスポイント２の制御部が判断した場合、アクセスポイント２はユーザの携帯端末３がアクセスポイントに接続されることを許可する。一例として、無線ＬＡＮ通信部３９は、Ｗｉ−Ｆｉ通信用のモジュールである。
【００３２】
通信部４０は、ユーザの携帯端末３が通信するための通信用のモジュールである。一例として、ユーザの携帯端末３は、スマートフォンであって、通信部４０は、スマートフォンの通信料金契約を結ぶキャリアの通信網を利用するための通信用のモジュールである。つまり、通信部４０は、カラオケネットワークとは異なる２Ｇ回線、３Ｇ回線、または４Ｇ回線により通信するための通信用のモジュールである。
【００３３】
［カラオケ用サーバ装置５の電気的構成］
カラオケ用サーバ装置５の電気的構成について、図１を参照して説明する。カラオケ用サーバ装置５は、制御部５０、ＲＯＭ５１、ＲＡＭ５２、記憶部５３、およびＬＡＮインターフェイス５５を備える。
【００３４】
制御部５０は、ＲＯＭ５１、ＲＡＭ５２、記憶部５３、およびＬＡＮインターフェイス５５と接続される。ＲＯＭ５１は、制御部５０が実行する各処理を表すプログラムを記憶する。ＲＡＭ５２は、制御部５０によりＲＯＭ５１から読み出されたプログラムを実行する場合の一時記憶領域を備える。
【００３５】
記憶部５３は、各種情報を記憶する記憶領域を備える。記憶部５３は、楽曲情報記憶領域５３１、ユーザ情報記憶領域５３２、店舗情報記憶領域５３３、ログイン情報記憶領域５３５、広告情報記憶領域５３６、および、対応付け情報記憶領域５３７を備える。楽曲記憶領域５３１は、カラオケ装置１が再生する楽曲の伴奏音を表す楽曲情報を記憶する領域である。ユーザ情報記憶領域５３２は、カラオケ装置１を利用するユーザのユーザ情報を記憶する領域である。店舗情報記憶領域５３３は、カラオケ装置１が設置されているカラオケ装置設置店舗７を識別する店舗識別情報と、カラオケ装置設置店舗７に設置されているカラオケ装置１を識別するカラオケ識別情報とを対応付けて記憶する領域である。ログイン情報記憶領域５３５は、カラオケ装置１を現在利用しているユーザのユーザ識別情報とユーザが利用しているカラオケ装置１のカラオケ識別情報とを対応付けて記憶する領域である。広告情報記憶領域５３６は、広告情報を記憶する領域である。対応付け情報記憶領域５３７は、ユーザが利用した広告情報を識別する広告識別情報と、利用された広告情報が再生されたカラオケ装置のカラオケ識別情報とを対応付けて記憶する領域である。また、対応付け情報記憶領域５３７は、ユーザが利用した広告情報を識別する広告識別情報と、利用された広告情報が再生されたカラオケ装置設置店舗７を識別する、店舗識別情報とを対応付けて記憶する領域である。一例として、広告識別情報は、後述のウェブサイトのアドレス情報である。
【００３６】
ＬＡＮインターフェイス部５５は、カラオケ用サーバ装置５をネットワークに接続する。ＬＡＮインターフェイス部５５は、ネットワークを介してルータ４と通信可能に接続される。ＬＡＮインターフェイス部５５は、制御部５０から送られる広告情報を複数のカラオケ装置１に配信する。
【００３７】
［カラオケシステムの全体動作］
図２を参照して、カラオケシステムの各装置の処理の内容、およびデータフローを説明する。カラオケシステムの処理は広告情報記憶領域５３６に新たな広告情報が記憶されると開始される。
【００３８】
ステップＫＳＳ１０では、カラオケ用サーバ装置５の制御部５０により複数のカラオケ装置１に広告情報が送られる。具体的には、制御部５０は、カラオケ装置１に広告情報を送る指示を含む指示情報をＬＡＮインターフェイス５５に送る。ＬＡＮインターフェイス５５は、制御部５０の指示に従ってカラオケ装置１に広告情報を送る。一例として、制御部５０は、カラオケ装置１Ａのアドレス情報を店舗情報記憶領域５３３から読み出す。読み出したアドレス情報が示すカラオケ装置１Ａに広告情報を送るように、制御部５０は、ＬＡＮインターフェイス５５に指示情報を送る。指示情報に従って、ＬＡＮインターフェイス５５は、カラオケ装置１Ａに広告情報を送る。店舗情報記憶領域５３３に記憶される複数のカラオケ装置１に広告情報を送ると、制御部５０は、ステップＫＳＳ１０の処理を終了する。
【００３９】
ステップＫＳ１１では、ネットワーク情報表示処理が制御部１０により実行される。具体的には、制御部１０が待機状態になるとネットワーク情報表示処理が実行される。待機状態とは、ユーザの操作による制御要求を制御部１０が所定期間受け付けなかったときに設定される状態である。制御部１０が待機状態になると、ステップＫＳＳ１０で送られた広告情報に含まれる動画情報が制御部１０の指示によりディスプレイ２５に表示される。さらに、動画情報と共に２次元コードがディスプレイ２５に表示される。２次元コードは、アクセスポイント２と通信するためのアドレス情報と、アクセスポイント２のＳＳＩＤおよびパスワードの情報とを含む画像である。広告情報に含まれる内容とは、一例としてライブ限定Ｔシャツを販売することの告知である。アクセスポイント２のＳＳＩＤおよびパスワードは、カラオケ装置１Ａがアクセスポイント２から取得する情報である。ステップＫＳ１１で実行されるネットワーク情報表示処理の詳細については後述する。制御部１０は、ユーザの操作により制御要求を受ける、又は、カラオケ装置１の電源がＯＦＦにされるまで、ステップＫＳ１１の処理を継続して実行する。
【００４０】
ステップＡＳ１１では、アクセスポイント２の制御部によりＳＳＩＤとパスワードとが送信される。具体的には、カラオケ装置１Ａからアクセスポイント２のＳＳＩＤとパスワードとが要求されると、アクセスポイント２の制御部が処理を開始する。アクセスポイント２の記憶部が記憶するＳＳＩＤとパスワードとを制御部は読み出す。読み出したＳＳＩＤとパスワードとがカラオケ装置１Ａに送信される。アクセスポイント２の制御部は、ＳＳＩＤとパスワードとがカラオケ装置１Ａに送られると、アクセスポイント２の制御部は、ステップＡＳ１１の処理を終了する。
【００４１】
ステップＭＳ１２では、ユーザの携帯端末３の制御部３０により情報読取処理が実行される。ステップＭＳ１２の処理は、ユーザの携帯端末３が２次元コードを読み取った場合に開始される。具体的には、ユーザの携帯端末３が備えるカメラ３６が２次元コードを撮影すると、制御部３０は、２次元コードが含む情報を抽出する。アクセスポイント２と通信するためのアドレス情報と、アクセスポイント２のＳＳＩＤおよびパスワードの情報とが制御部３０により抽出され、ＲＡＭ３２に記憶される。また、２次元コードを撮影した時点の時間情報が制御部３０によりＲＡＭ３２に記憶される。アクセスポイント２と通信するためのアドレス情報と、アクセスポイント２のＳＳＩＤおよびパスワードの情報と、時間情報とがＲＡＭ３２に記憶されると、制御部３０はステップＭＳ１３に処理を移す。
【００４２】
ステップＭＳ１３では、サイト構成情報をユーザの携帯端末３に表示するためのウェブサイトアクセス処理が制御部３０により実行される。具体的には、アクセスポイント２と通信するためのアドレス情報と、アクセスポイント２のＳＳＩＤおよびパスワードの情報とが制御部３０により抽出されると、制御部３０は、アクセスポイント２に接続要求を送る。具体的には、接続要求は、アクセスポイント２と通信するためのアドレス情報と、アクセスポイント２のＳＳＩＤおよびパスワードの情報と、ユーザの携帯端末３を識別する端末識別情報と、２次元コードを撮影した時点の時間情報とを含む。アクセスポイント２の制御部により接続が許可されると、接続が許可されたことを表す許可情報がアクセスポイント２からユーザの携帯端末３に送られる。許可情報が送られると、制御部３０はステップＭＳ１３の処理を終了する。
【００４３】
ステップＡＳ１３では、接続を許可するか否かがアクセスポイント２の制御部により判断される。具体的には、アクセスポイント２がウェブサイトアクセス処理において制御部３０から送られた接続要求を受けると、アクセスポイント２が記憶するＳＳＩＤおよびパスワードと、接続要求に含まれるＳＳＩＤおよびパスワードとが一致するか否かが判断される。一致しないと判断された場合、ユーザの携帯端末３の接続が許可されない。一致すると判断された場合、許可情報がユーザの携帯端末３に送られる。さらに、アクセスポイント２の制御部は、ユーザの携帯端末３が接続されたことを示すアクセス情報をカラオケ装置１Ａに送る。アクセス情報は、２次元コードがユーザの携帯端末３により撮影された時点の時間情報とユーザの携帯端末３を識別する端末識別情報とを含む。許可情報およびアクセス情報が送られる、または、ＳＳＩＤおよびパスワードが一致しないと判断されると、ステップＡＳ１３の処理を終了する。
【００４４】
ステップＫＳ１４では、カラオケ識別情報と広告識別情報とが制御部１０によりカラオケ用サーバ装置５に送られる。具体的には、アクセス情報を受けると、制御部１０はアクセス情報に含まれる時間情報と端末識別情報とを抽出する。制御部１０は、抽出された時間情報に対応する時点にディスプレイ２５に表示させた広告情報の広告識別情報を広告情報記憶領域１３２に記憶される広告再生履歴情報から抽出する。さらに制御部１０は、広告識別情報を抽出すると、ＲＯＭ１１に記憶されるカラオケ装置１Ａのカラオケ識別情報を抽出する。制御部１０は、抽出したカラオケ識別情報と広告識別情報と端末識別情報とを対応付けて、カラオケ用サーバ装置５に送る。カラオケ識別情報と広告識別情報と端末識別情報とをカラオケ用サーバ装置５に送ると、制御部１０はステップＫＳ１４の処理を終了する。
【００４５】
ステップＫＳＳ１５では、カラオケ用サーバ装置５の制御部５０により店舗特定処理が実行される。具体的には、制御部５０はカラオケ装置１Ａから送られたカラオケ識別情報に対応付けられる店舗識別情報を特定する。ステップＫＳＳ１５で実行される店舗特定処理の詳細については後述する。制御部５０は、ステップＫＳＳ１５の処理を終えると、ステップＫＳＳ１６に処理を移す。
【００４６】
ステップＫＳＳ１６では、制御部５０により記憶処理が実行される。具体的には、制御部５０は、カラオケ装置１Ａから送られた広告識別情報と店舗識別情報とを対応付け、対応付け情報記憶領域５３７に記憶させる。ステップＫＳＳ１６で実行される記憶処理の詳細については後述する。制御部５０は、ステップＫＳＳ１６の処理を終えると、ステップＫＳＳ１７に処理を移す。
【００４７】
ステップＫＳＳ１７では、制御部５０により表示指示がウェブサイト管理用サーバ装置８に送られる。具体的には、本実施形態において広告識別情報として用いられるウェブサイトのアドレス情報に従って、制御部５０は、サイト構成情報をユーザの携帯端末３に送るようにウェブサイト管理用サーバ装置８に表示指示を送る。制御部５０がウェブサイト管理用サーバ装置８に表示指示を送ると、ステップＫＳＳ１７の処理を終了する。
【００４８】
ステップＷＳＳ１８では、ウェブサイト管理用サーバ装置８の制御部によりユーザの携帯端末３にサイト構成情報が送られる。具体的には、ウェブサイト管理用サーバ装置８の制御部は、カラオケ用サーバ装置５から送られた表示指示に従って、ユーザの携帯端末３にサイト構成情報を送信する。これにより、ユーザの携帯端末３は、ウェブサイトをディスプレイ３５に表示させることができる。ユーザの携帯端末３にウェブサイトが表示されると、カラオケ装置１Ａ、ユーザの携帯端末３、カラオケ用サーバ装置５、およびウェブサイト管理用サーバ装置８の各制御部による一連の処理が終了する。
【００４９】
［ネットワーク情報表示処理］
図３、および図４を参照して、ステップＫＳ１１においてカラオケ装置１の制御部１０が実行するネットワーク情報表示処理について説明する。ネットワーク情報表示処理は、制御部１０がユーザの操作による制御要求を制御部１０が所定期間受け付けなかったときに設定される状態である待機状態になると、制御部１０により実行される。以下、制御部１０のネットワーク情報表示処理としては、カラオケ装置１Ａが備える制御部１０が実行するネットワーク情報表示処理を例として説明する。
【００５０】
ステップＫＳ１１０では、広告情報が広告記憶領域１３２に少なくとも１つ記憶されているか否かが判断される。広告情報が広告記憶領域１３２に少なくとも１つ記憶されていると判断されると、処理はＹＥＳとなり、ステップＫＳ１１１に処理が移される。広告情報が広告記憶領域１３２に記憶されていないと判断されると、処理はＮＯとなり、ネットワーク情報表示処理が終了される。
【００５１】
ステップＫＳ１１１では、広告情報にウェブサイトのアドレス情報が含まれているか否かが判断される。広告情報にウェブサイトのアドレス情報が含まれている場合、処理はＹＥＳとなり、広告情報からアドレス情報を抽出してステップＫＳ１１２に処理が移される。広告情報にアドレス情報が含まれていない場合、処理はＮＯとなり、ステップＫＳ１１４に処理が移される。
【００５２】
ステップＫＳ１１２では、アクセスポイント２のＳＳＩＤおよびパスワードが取得される。具体的には、カラオケ装置１Ａの制御部１０は、ＳＳＩＤとパスワードとを送るようにアクセスポイント２に要求情報を送る。ＳＳＩＤとパスワードとがアクセスポイント２からカラオケ装置１Ａに送られると、ＳＳＩＤとパスワードとがＲＡＭ１２に記憶される。ＳＳＩＤとパスワードとがＲＡＭ１２に記憶されるとステップＫＳ１１３に処理が移される。
【００５３】
ステップＫＳ１１３では、２次元コードが生成される。具体的には、アクセスポイント２のＳＳＩＤとパスワードとが２次元コード化される。一例として、２次元コードは、ＱＲコード（登録商標）など、ユーザの携帯端末３で撮影可能な画像である。２次元コードが生成されると、ステップＫＳ１１４に処理が移される。
【００５４】
ステップＫＳ１１４では、広告情報がディスプレイ２５に表示される。具体的には、図４を参照してディスプレイ２５の表示動作について説明する。広告情報が含む動画情報が広告情報記憶領域１３２から読み出され、制御部１０の指示に従ってディスプレイ２５に表示される。動画情報には、２次元コードを表示させる領域を示すコード表示領域情報が含まれている。動画情報に含まれる領域情報したがって、ステップＫＳ１１４において生成された２次元コードがディスプレイ２５に表示される。一例として、広告情報は、図４のディスプレイ２５に示されるライブツアーのＴシャツ販売の広告を表す情報である。また、コード表示領域情報は、図４で二点鎖線により示される領域を表す情報であって、コード表示領域情報が表す領域に２次元コードが表示される。コード表示領域情報を示す二点鎖線はディスプレイ２５に表示されない。１つの広告情報がディスプレイ２５に表示され、動画情報の表示期間に従って表示が終了されると、ネットワーク情報表示処理が終了される。
【００５５】
［店舗特定処理］
図５および図７を参照して、ステップＫＳＳ１５においてカラオケ用サーバ装置５の制御部５０が実行する店舗特定処理について説明する。店舗特定処理は、ユーザの携帯端末３がカラオケ用サーバ装置５とネットワークを介して通信可能に接続されると、制御部５０により実行される。以下、カラオケ装置１Ａのカラオケ識別情報が「１２３４５６７８」である場合を一例として説明する。
【００５６】
ステップＫＳＳ１５１では、カラオケ装置１Ａから送られた情報の内から、カラオケ識別情報が取得される。具体的には、カラオケ装置１Ａから送られた、カラオケ識別情報、広告識別情報、および端末識別情報の内から、カラオケ識別情報である「１２３４５６７８」が抽出される。抽出されたカラオケ識別情報は、ＲＡＭ５２に記憶される。カラオケ識別情報がＲＡＭ５２に記憶されると、ステップＫＳＳ１５２に処理が移される。
【００５７】
ステップＫＳＳ１５２では、店舗識別情報が取得される。具体的には、ステップＫＳＳ１５１で抽出されたカラオケ識別情報に一致するカラオケ識別情報に対応付けられた店舗識別情報が、店舗情報記憶領域５３３から抽出される。図７に示す店舗情報は、店舗識別情報とカラオケ識別情報とを対応付けた状態で店舗情報記憶領域５３３に記憶される。ステップＫＳＳ１５１においてＲＡＭ５２に記憶されたカラオケ識別情報に一致するカラオケ識別情報に対応付けられている店舗識別情報が抽出される。一例として、ＲＡＭ５２にカラオケ装置１Ａを識別するカラオケ識別情報「１２３４５６７８」が記憶されている場合、図７に示される店舗情報に含まれるカラオケ識別情報「１２３４５６７８」が特定される。特定されたカラオケ識別情報「１２３４５６７８」に対応付けられた店舗識別情報「００１」が店舗情報記憶領域５３３から抽出される。店舗識別情報が抽出されると、店舗特定処理が終了される。
【００５８】
［記憶処理の説明］
図６および図７を参照して、ステップＫＳＳ１６においてカラオケ用サーバ装置５の制御部５０が実行する記憶処理について説明する。記憶処理は、ステップＫＳＳ１５の処理が終了されると、制御部５０により実行される。以下、ウェブサイトのアドレス情報と広告識別情報とが同一の情報である場合を一例として説明する。
【００５９】
ステップＫＳＳ１６１では、カラオケ装置１Ａから送られた情報の内から、ウェブサイトのアドレス情報が取得される。具体的には、カラオケ装置１Ａから送られた、カラオケ識別情報、広告識別情報、および端末識別情報の内から、広告識別情報である「Ｈｔｔｐ:／／ａａａ.ｃｏｍ／ｈａｎｂａｉ.ｈｔｍｌ」を表す情報が抽出される。抽出されたカラオケ識別情報は、ＲＡＭ５２に記憶される。ウェブサイトのアドレス情報がＲＡＭ５２に記憶されると、ステップＫＳＳ１６２に処理が移される。
【００６０】
ステップＫＳＳ１６２では、店舗特定処理においてＲＡＭ５２に記憶された店舗識別情報と、ステップＫＳＳ１６１においてＲＡＭ５２に記憶されたウェブサイトのアドレス情報とが対応付けて記憶されているか否かが判断される。具体的には、店舗特定処理においてＲＡＭ５２に記憶された店舗識別情報と、ステップＫＳＳ１６１においてＲＡＭ５２に記憶されたウェブサイトのアドレス情報とにそれぞれ一致する情報を対応付けた対応付け情報が対応付情報記憶領域５３７に記憶されているか否かが判断される。一例として、対応付け情報は、図７に示される対応付け情報Ａである。対応付け情報Ａは、店舗識別情報とウェブサイトのアドレス情報とを対応付けた状態で含む。さらに、対応付け情報Ａは、店舗識別情報とウェブサイトのアドレス情報とが対応付けられた回数であるアクセス回数を含む。ＲＡＭ５２に記憶された店舗識別情報と、ウェブサイトのアドレス情報とが対応付けて記憶されている場合、処理はＹＥＳとなり、ステップＫＳＳ１６３に処理が移される。店舗識別情報と、ウェブサイトのアドレス情報とが対応付けて記憶されていない場合、処理はＮＯとなり、ステップＫＳＳ１６４に処理が移される。
【００６１】
ステップＫＳＳ１６３では、アクセス回数が加算される。具体的には、ＲＡＭ５２に記憶された店舗識別情報とウェブサイトのアドレス情報とにそれぞれ一致する情報が対応付けられている対応付け情報に含まれるアクセス回数に「１」が加算される。一例として、ＲＡＭ５２に記憶されたウェブサイトのアドレス情報が「Ｈｔｔｐ:／／ａａａ.ｃｏｍ／ｈａｎｂａｉ.ｈｔｍｌ」であった場合について、図７を参照して説明する。店舗識別情報「００１」と広告識別情報「Ｈｔｔｐ:／／ａａａ.ｃｏｍ／ｈａｎｂａｉ.ｈｔｍｌ」とにそれぞれ一致する情報の対応付け回数であるアクセス回数に「１」が加算される。つまり、図７に示す対応付け情報Ａが記憶処理実行前の情報である場合、記憶処理が実行されることによって、店舗識別情報「００１」と広告識別情報「Ｈｔｔｐ:／／ａａａ.ｃｏｍ／ｈａｎｂａｉ.ｈｔｍｌ」とにそれぞれ一致する情報の対応付け回数であるアクセス回数「１０」が「１１」に増加される。対応するアクセス回数に「１」が加算されると、記憶処理が終了される。
【００６２】
ステップＫＳＳ１６４では、店舗識別情報とウェブサイトのアドレス情報とが対応付けられた状態で含まれる対応付け情報Ａが記憶される。具体的には、記憶処理実行時点において店舗識別情報とウェブサイトのアドレス情報とが対応付けられた状態で含まれていないので、新たに対応関係が生成されて対応付け情報として記憶される。一例として、ＲＡＭ５２に記憶されたウェブサイトのアドレス情報が「Ｈｔｔｐ:／／ｂｂｂ.ｃｏｍ／ｈａｎｂａｉ.ｈｔｍｌ」であった場合について図７を参照して説明する。図７の対応付け情報Ａには店舗識別情報「００１」と、ウェブサイトのアドレス情報「Ｈｔｔｐ:／／ｂｂｂ.ｃｏｍ／ｈａｎｂａｉ.ｈｔｍｌ」とにそれぞれ一致する情報は対応付けて記憶されていない。そのため、図７において二点鎖線で示される店舗識別情報「００１」とウェブサイトのアドレス情報「Ｈｔｔｐ:／／ｂｂｂ.ｃｏｍ／ｈａｎｂａｉ.ｈｔｍｌ」とが対応付けられた対応関係が対応付け情報Ａとして新たに記憶される。この時、アクセス回数は、対応付けが１回目であることを表す「１」である。対応関係が新たに含まれた対応付け情報Ａが記憶されると、記憶処理が終了される。
【００６３】
［実施形態の効果］
対応付け情報が記憶されることによる効果の一例として後述の効果がある。対応付け情報が対応付情報記憶領域５３７に記憶されることにより、カラオケ用サーバ装置５は、アクセス回数の多いアドレス情報と一部共通のアドレス情報を含む広告情報を優先してカラオケ装置１に配信できる。一例として、図７の対応付け情報Ａからは、店舗識別情報「００２」と、ウェブサイトのアドレス情報「Ｈｔｔｐ:／／ｂｂｂ.ｃｏｍ／ｓｐｅｃｉａｌ.ｈｔｍｌ」とが「１００」回対応付けられたことが分かる。店舗識別情報「００２」とウェブサイトのアドレス情報「Ｈｔｔｐ:／／ｂｂｂ.ｃｏｍ／ｓｐｅｃｉａｌ.ｈｔｍｌ」とが一番多く対応付けられている場合、制御部５０は、ウェブサイト管理用サーバ装置８を示す「Ｈｔｔｐ:／／ｂｂｂ.ｃｏｍ」と同一の文字列を含むウェブサイトのアドレス情報「Ｈｔｔｐ:／／ｂｂｂ.ｃｏｍ／ｈａｎｂａｉ.ｈｔｍｌ」を広告情報記憶領域５３６から抽出する。制御部５０は、抽出したウェブサイトのアドレス情報を含む広告情報を、店舗識別情報「００２」により識別されるカラオケ装置設置店舗７に設置されるカラオケ装置１に優先して配信する。これにより、ユーザにより利用される回数が多い広告情報と同じウェブサイト管理サーバ装置８に接続させる広告情報をカラオケ装置１に表示することができる。つまり、広告情報が利用される可能性が高いと考えられる広告情報が制御部５０によって決定され、その広告情報がカラオケ装置１に優先して配信されることによって、その広告情報がカラオケ装置１のディスプレイ２５に優先して表示される。
【００６４】
［第１変形例］
本実施形態においては、対応付け情報としては、図７の対応付け情報Ａのように、店舗識別情報と、ウェブサイトのアドレス情報と、アクセス回数とが対応付けられて含まれていたが、図８の対応付け情報Ｂのようにカラオケ識別情報と、ウェブサイトのアドレス情報と、アクセス回数とが対応付けられて含まれていてもよい。対応付け情報Ｂのように対応関係が含まれている場合、ステップＫＳＳ１５において実行される店舗特定処理を実行しない。店舗特定処理が実行されないことにより、ステップＫＳＳ１６において実行される記憶処理では、カラオケ識別情報と広告識別情報とが対応付けられるように処理が実行される。つまり、本実施形態のステップＫＳＳ１６は、店舗識別情報をカラオケ識別情報に置き換えて実行されればよい。具体的には、ＫＳＳ１６２においてはカラオケ識別情報と広告識別情報とが対応付けられているか否かが判断される。ステップＫＳＳ１６３が実行される場合、カラオケ識別情報と広告識別情報との対応関係に対応付けられているアクセス回数に「１」が加算される。また、ステップＫＳＳ１６４が実行される場合、カラオケ識別情報と広告識別情報との対応関係が新たに生成されてアクセス回数が「１」に設定される。これにより、図８に示される対応付け情報Ｂのような対応関係が生成される。対応付け情報Ｂが生成される場合であっても、店舗情報に従ってカラオケ識別情報と店舗識別情報との対応関係が制御部５０により特定される。これにより、特定される店舗識別情報と、広告識別情報と、アクセス回数との対応関係に従って図７の対応付け情報Ａと同等の対応関係を含む情報を生成することができる。
【００６５】
［第２変形例］
本実施形態においては、ステップＫＳ１１３では制御部１０により２次元コードが生成された。しかし、２次元コードでなく、電子透かし技術によりユーザの携帯端末３によって取得可能な映像または音声が生成されてもよい。一例として映像の場合、動画情報の各フレームに表示される画像のうち、所定のフレーム間隔でＳＳＩＤとパスワードとを表す画像がカラオケ装置１のディスプレイ２５に表示される。ユーザの携帯端末３は、ＳＳＩＤとパスワードとを表す画像をカメラ３６で撮影し、アクセスＵＲＬを抽出する。また、一例として音声の場合、ＳＳＩＤとパスワードとを表す人に聞こえない高周波の音声がカラオケ装置１のスピーカ１９から発音される。ユーザの携帯端末３は、ＳＳＩＤとパスワードとを表す音声をマイクで集音し、ＳＳＩＤとパスワードとを抽出する。これによりユーザの携帯端末３はＳＳＩＤとパスワードとを取得し、ステップＭＳ１２の処理を実行する。
【００６６】
［第３変形例］
ネットワーク情報表示処理において、２次元コードは広告を表示する時点で生成された。しかし、あらかじめ作られた２次元コードが動画情報とともにディスプレイ２５に表示されてもよい。アクセスポイント２のＳＳＩＤおよびパスワードは変更されない限り、複数種類の広告情報であっても同じＳＳＩＤおよびパスワードが表示されればよいため、現在のネットワーク情報表示処理より前に実行されたネットワーク情報表示処理で生成された２次元コードが表示されればよい。これにより、制御部１０の処理負担が軽減される。
【００６７】
［第４変形例］
本実施形態においては、アクセス回数を対応付け回数としたが、ウェブサイトにアクセスされた回数ではなく、ユーザの携帯端末３によりウェブサイトにアクセスされ、広告情報が含む広告の内容の物品が購入された場合の回数を対応付け回数としてもよい。この場合、一例として図２のステップＷＳＳ１８が実行された後に、ステップＫＳＳ１６の処理が実行される。ステップＫＳＳ１６は、ユーザにより物品が購入されたことを示す情報をウェブサイト管理用サーバ８または携帯端末３から受け付けて、制御部５０により実行される。また、アクセス回数と購入回数とから対応付け回数が表されてもよい。一例として、対応付け回数は、アクセス１回に対してアクセス回数に「１」が加算され、ユーザにより物品が購入されるとさらにアクセス回数に「１」が加算される。これにより、物品が購入されたことに対して重み付けをして対応付け回数が算出できる。
【００６８】
［第５変形例］
制御部５０が広告情報を配信する優先順位の決定基準は、アクセス回数が示す数が多い広告識別情報が含むウェブサイト管理用サーバ装置８のアクセス回数を基準に決められた。しかし、アクセス回数が示す数が多い広告識別情報が含む広告の内容に関する情報を基準としてもよい。一例として、広告識別情報に広告のジャンルフラグが含まれている場合、同一のジャンルフラグを備える広告情報を優先して配信してもよい。広告の内容がチケット販売である場合は「ＴＩＣＫＥＴ」の文字列を広告識別情報であるウェブサイトのアドレス情報に含め、広告の内容がＣＤ販売である場合は「ＣＤ」の文字列を広告識別情報であるウェブサイトのアドレス情報に含める。これにより、制御部５０は、同一の文字列を含む広告識別情報を含む広告情報を、店舗識別情報により識別されるカラオケ装置設置店舗７に設置されるカラオケ装置１に優先して配信する。この他にも、広告の内容に含まれるアーティスト、楽曲、広告のＢＧＭ、及び広告の管理会社などを識別する識別情報を広告識別情報に含めることで広告を配信する優先順位を決定する基準にできる。これにより、広告情報が利用される可能性が高いと考えられる広告情報を制御部５０によって決定し、その広告情報をカラオケ装置１に優先して配信されることによって、その広告情報がカラオケ装置１のディスプレイ２５に優先して表示される。
【００６９】
［第６変形例］
制御部５０は、各ウェブサイト管理用サーバ装置８により配信される広告情報を表示させる優先順位を決定することができる。優先順位の決定の他には、制御部５０は、店舗識別情報によって識別されるカラオケ装置設置店舗７ごとのアクセス回数を集計し、広告情報が利用されたことによって得られた広告配信業者の利益を各カラオケ装置設置店舗７に分配することができる。一例として、各広告情報のアクセス回数が多い順に、各カラオケ装置設置店舗７に広告配信業者からカラオケ装置設置店舗７に配当金が支払われるようにしてもよい。これにより、カラオケ装置設置店舗７は、広告配信業者から広告を表示させたことに対する広告収入を得ることができる。
【００７０】
［第７変形例］
ネットワークキーは、アクセスポイント２を識別するＳＳＩＤと、アクセスポイント２に接続するために設定されたパスワードとによって表された。しかし、ネットワークキーは、ＳＳＩＤと、パスワードとによって表されるものではなく、特定の音を表す周波数などによって表されるアナログ信号で表される情報であってもよい。
【００７１】
［第８変形例］
本実施形態のステップＬＳ１０において実行されたログイン処理は、ユーザの情報がユーザ情報記憶領域５３２に記憶されていないゲストユーザに対してはログイン認証をしなかった。しかし、ゲストユーザがログイン認証されてもよい。この場合、ゲストユーザのユーザ識別情報としては一時的な仮のユーザ識別情報が生成される。仮のユーザ識別情報に基づいてログイン認証されると、仮のユーザ識別情報がログイン情報記憶領域５３５に記憶される。これにより、本実施形態の各種処理を実行することが可能になる。
【００７２】
［特許請求の範囲に記載される構成との対応関係］
カラオケ装置１は、カラオケ装置の一例である。カラオケ用サーバ装置５は、サーバ装置の一例である。アクセスポイント２は、無線ルータ装置の一例である。カラオケ装置１とアクセスポイント２とルータ４とカラオケ用サーバ装置５との組み合わせは、カラオケシステムの一例である。ディスプレイ２５は、表示手段の一例である。制御部１０および映像制御部２３は、表示制御手段の一例である。ステップＫＳ１１の処理を実行する制御部１０およびＬＡＮインターフェイス部２７は、取得手段の一例である。ステップＫＳ１１の処理を実行する制御部１０は、付与手段の一例である。ステップＡＳ１１の処理を実行するアクセスポイント２の制御部は、第１送信手段の一例である。ステップＡＳ１３の処理を実行するアクセスポイント２の制御部は、受付手段、及び接続手段の一例である。ステップＫＳ１４の処理を実行する制御部１０及びＬＡＮインターフェイス部２７は、第２送信手段の一例である。ステップＫＳＳ１０の処理を実行する制御部５０およびＬＡＮインターフェイス５５は、配信手段の一例である。記憶部５３は記憶手段の一例である。
ステップＫＳＳ１６の処理を実行する制御部５０は、記憶制御手段の一例である。第１変形例のステップＫＳＳ１６３またはＫＳＳ１６４の処理を実行する制御部５０は、算出手段の一例である。ステップＫＳＳ１６３またはＫＳＳ１６４の処理を実行する制御部５０は、集計手段の一例である。本実施形態の効果に記載される処理を実行する制御部５０、または第５変形例の処理を実行する制御部５０は、決定手段の一例である。カラオケ識別情報はカラオケ識別情報の一例である。ＳＳＩＤおよびパスワード、または、第７変形例におけるアナログ信号は、ネットワークキーの一例である。ウェブサイトのアドレス情報は、広告識別情報の一例である。ステップＫＳＳ１６３で加算されるアクセス回数、またはステップＫＳＳ１６４で生成されるアクセス回数は、対応付け回数の一例である。第４変形例におけるアクセス回数と購入回数とから算出されるアクセス回数、または、購入回数から算出されるアクセス回数は、対応付け回数の一例である。ステップＫＳ１４においてカラオケ用サーバ装置８に送られる、カラオケ識別情報、広告識別情報、および端末識別情報は、広告利用情報の一例である。本実施形態における広告識別情報に含まれるウェブサイト管理用サーバ装置８を示す文字列は、広告内容識別情報の一例である。第５変形例における、広告の内容に含まれる販売物であるＣＤおよびチケットなどの物品、アーティスト、楽曲、広告のＢＧＭ、及び広告の管理会社などを識別する識別情報と、ジャンルフラグとは、広告内容識別情報の一例である。ステップＭＳ１２においてＲＡＭ３２に記憶される時間情報は時間情報の一例である。ステップＡＳ１３においてカラオケ装置１に送られるアクセス情報は、接続情報の一例である。ステップＭＳ１３においてアクセスポイントに送られる接続要求は、接続要求の一例である。ユーザ識別情報は、端末識別情報の一例である。店舗識別情報は、店舗識別情報の一例である。
【００７３】
制御部５０により実行されるステップＫＳＳ１０の処理は、配信ステップの一例である。制御部１０により実行されるステップＫＳ１１の処理は、付与ステップの一例である。制御部１０により実行されるステップＫＳ１１２は、取得ステップの一例である。制御部１０により実行されるステップＫＳ１１５の処理は、表示制御ステップの一例である。アクセスポイント２の制御部により実行されるステップＡＳ１３の処理は、受付ステップおよび接続ステップの一例である。ステップＡＳ１３においてカラオケ装置１にアクセス情報を送る処理は、送信ステップの一例である。制御部５０により実行されるステップＫＳＳ１６の処理は、記憶制御ステップの一例である。制御部５０により実行されるステップＫＳＳ１６３またはＫＳＳ１６４の処理は、算出ステップの一例である。
【符号の説明】
【００７４】
１  カラオケ装置
２  アクセスポイント（無線ルータ）
３  ユーザの携帯端末
４  ルータ
５  カラオケ用サーバ装置
６  カラオケルーム
７  カラオケ装置設置店舗
８  ウェブサイト管理用サーバ
１０  制御部
３０  制御部
５０  制御部
５３  記憶部
５３１  楽曲情報記憶領域
５３２  ユーザ情報記憶領域
５３３  店舗情報記憶領域
５３５  ログイン情報記憶領域
５３６  広告情報記憶領域
５３７  対応付け情報記憶領域
【図１】
0006665469.tif 000002
【図２】
0006665469.tif 000003
【図３】
0006665469.tif 000004
【図４】
0006665469.tif 000005
【図５】
0006665469.tif 000006
【図６】
0006665469.tif 000007
【図７】
0006665469.tif 000008
【図８】
0006665469.tif 000009